(57)【要約】【課題】自動書類処理装置の提供。【解決手段】本書類処理装置は、制御システム、第１センサ、給紙モジュール、書類処理モジュール及び出紙モジュールを包含する。第１センサは紙を検出し並びに制御信号を該制御システムに送る。給紙モジュールは該第１センサの下流に設置され、給紙主動輪、該給紙主動輪の一側に設置された給紙従動輪及び給紙従動輪に枢接された弾性機構を包含し、該弾性機構は該制御システムに制御される。書類処理モジュールは給紙モジュールの一側に設置され、該給紙モジュールの送出した書類を処理する。出紙モジュールは書類処理モジュールの下流位置に設置され、該出紙モジュールは書類処理モジュールが処理した後の書類を送出する。本書類処理装置は弾性機構により給紙モジュールの書類に対する引き止めを減らし、書類伝送を安定させる。【選択図】図２
2011032058.tif 000002
【特許請求の範囲】
【請求項１】
自動書類処理装置において、
制御システムと、
第１センサであって、紙を検出し並びに制御信号を該制御システムに送る、該第１センサと、
給紙モジュールであって、該第１センサの下流に設置され、給紙主動輪、該給紙主動輪の一側に設置された給紙従動輪及び給紙従動輪に枢接された弾性機構を包含し、該弾性機構は該制御システムに制御される、該給紙モジュールと、
書類処理モジュールであって、該給紙モジュールの一側に設置され、該給紙モジュールの送出した紙を処理する、該書類処理モジュールと、
出紙モジュールであって、該書類処理モジュールの下流位置に設置され、該書類処理モジュールが処理した後の紙を送出する、該出紙モジュールと、
を包含したことを特徴とする、自動書類処理装置。
【請求項２】
請求項１記載の自動書類処理装置において、該弾性機構はシリンダ、固定棒、スリーブ及びバネを包含し、該シリンダは該制御システムに制御され、該固定棒は該シリンダに固定され、該スリーブは該固定棒に嵌合され、該スリーブの一端は該給紙従動輪に枢接され、該バネは該スリーブ内に収容され、該バネの一端は上述の固定棒に接続され、別端は該スリーブの一端に当接することを特徴とする、自動書類処理装置。
【請求項３】
請求項２記載の自動書類処理装置において、該給紙モジュールと該書類処理モジュールの間に第２センサが設置されたことを特徴とする、自動書類処理装置。
【請求項４】
請求項３記載の自動書類処理装置において、該第１センサの上流に設置された分紙モジュールを更に包含し、該制御システムはコントローラと該コントローラに制御される第１駆動システムと第２駆動システムを包含し、該コントローラと該第１センサ、該第２センサ、該シリンダ及び該書類処理モジュールは電気的に接続され、該第１駆動システムは該分紙モジュールを制御し、該第２駆動システムは該出紙モジュールを制御することを特徴とする、自動書類処理装置。
【発明の詳細な説明】
【技術分野】
【０００１】
本発明は一種の書類処理装置に係り、特に一種の自動書類処理装置に関する。
【背景技術】
【０００２】
図１を参照されたい。該図は周知の一種の自動書類処理装置１００’とされ、それは分紙モジュール１’、センサ２’、給紙モジュール３’、書類処理モジュール４’、出紙モジュール５’、送紙チャネル６’、第２駆動システム７’及び制御システム８’を包含する。そのうち、分紙モジュール１’には分紙ロール１１’と該分紙ロール１１’を駆動する第１駆動システム１２’が設けられている。給紙モジュール３’には給紙主動輪３１’、給紙従動輪３２’、スクリュー３３’、動力機構３４’が設置され、スクリュー３３’の一端が給紙従動輪３２’に枢接され、別端は動力機構３４’に接続され、該スクリュー３３’のほぼ中部が支持座（図示せず）に枢接されている。書類処理モジュール４’は走査、印刷或いは複写等を行える。
【０００３】
書類走査の例では、該自動書類処理装置１００’が動作時、分紙モジュール１’の一側に複数枚の書類（図示せず）が置かれ、分紙モジュール１’の駆動システム１２’が分紙ロール１１’を駆動して回転させ、これにより一枚の書類が送紙チャネル６’に沿って伝送され、書類の前端がセンサ２’に至ると、センサ２’が制御信号を制御システム８’に送り、これにより制御システム８’が第２駆動システム７’を制御し、給紙主動輪３１’を駆動して回転させ、これにより伝送されてきた書類を続いて下流に伝送する。書類の前端が書類処理モジュール４’により走査されて出紙モジュール５’に送られる時、書類の後端は給紙モジュール３’部分にあり、この時、制御システム８’は動力機構３４’を制御し、動力機構３４’にスクリュー３３’を回転させ、これにより給紙従動輪３２’に給紙主動輪３１’との間にギャップを発生させ、出紙モジュール５’に独自に書類を送出させ、給紙モジュール３’と出紙モジュール５’の書類に対する引き止めを減らすことを実現している。
【発明の概要】
【発明が解決しようとする課題】
【０００４】
ただし、上述の周知の自動書類処理装置１００’はスクリュー３３’の回転を利用して給紙主動輪３１’と給紙従動輪３２’の間の距離を制御し、長期に使用して給紙主動輪３１’と給紙従動輪３２’の表面が摩損すると、給紙主動輪３１’と給紙従動輪３２’の間の圧力（正方向力）が不足するようになり、書類の安定伝送に不利となる。このほか、書類が出紙モジュール５’に進入する時、誤差の存在により、出紙モジュール５’と給紙モジュール３’が書類に対して引き止めを形成する。
【０００５】
本発明の目的は、上述の周知の技術に存在する欠点に対して、一種の、書類に対する引き止めを形成せず、且つ書類伝送を安定して行える自動書類処理装置を提供することにある。
【課題を解決するための手段】
【０００６】
上述の目的を達成するため、本発明の提供する自動書類処理装置は、制御システム、第１センサ、給紙モジュール、書類処理モジュール及び出紙モジュールを包含する。第１センサは書類を検出し並びに制御信号を該制御システムに送る。給紙モジュールは該第１センサの下流に設置され、給紙主動輪、該給紙主動輪の一側に設置された給紙従動輪及び給紙従動輪に枢接された弾性機構を包含し、該弾性機構は該制御システムに制御される。書類処理モジュールは給紙モジュールの一側に設置され、該給紙モジュールの送出した書類を処理する。出紙モジュールは書類処理モジュールの下流位置に設置され、該出紙モジュールは書類処理モジュールが処理した後の書類を送出する。
【発明の効果】
【０００７】
本発明の自動書類処理装置は弾性機構により給紙従動輪と給紙主動輪に弾性押圧を実現させることができ、紙が給紙モジュールを通り且つ出紙モジュールに進入する前に、給紙従動輪の給紙主動輪に対する圧力を大きくし、紙が出紙モジュールに進入した後に、給紙従動輪の給紙主動輪に対する圧力を小さくし、最終的に紙に対する引き止めを減らし紙伝送を安定させる。
【図面の簡単な説明】
【０００８】
【図１】周知の自動書類処理装置の構造表示図である。
【図２】本発明の自動書類処理装置の実施例の構造表示図である。
【図３】本発明の自動書類処理装置の実施例の動作表示図である。
【図４】本発明の自動書類処理装置の実施例の動作表示図である。
【図５】本発明の自動書類処理装置の実施例の動作表示図である。
【図６】本発明の自動書類処理装置の実施例の動作表示図である。
【図７】本発明の自動書類処理装置の実施例の動作表示図である。
【図８】本発明の自動書類処理装置の実施例の動作表示図である。
【発明を実施するための形態】
【０００９】
図２は本発明の自動書類処理装置１００の実施例の構造表示図である。本実施例では、該自動書類処理装置１００はスキャナとされ、それは給紙スタッカー１、分紙モジュール２、第１センサ３、給紙モジュール４、第２センサ５、書類処理モジュール６、出紙モジュール７、及び制御システムを包含する。そのうち、給紙スタッカー１の一側に紙取りモジュール（図示せず）が設けられ、分紙モジュール２から出紙モジュール７の間に送紙チャネルが（図中、符号表示せず）設けられている。
【００１０】
給紙スタッカー１は複数の紙９を重ねて置くのに供され、紙９は紙前端９１と紙後端９２を有する。紙取りモジュールは給紙スタッカー１上の紙９を分紙モジュール２に伝送するのに用いられる。分紙モジュール２は分紙ロール２１と該分紙ロール２１の上方に位置するストッパロール２２を包含し、該ストッパロール２２は支持座（図示せず）に固定されている。該分紙モジュール２は紙取りモジュールと給紙スタッカー１の下流に設置される。ストッパロール２２と分紙ロール２１の間の噛合エリアは分紙エリアとされ、該分紙エリアは複数の紙９を分離するのに用いられる。ストッパロール２２はトルク部品（図示せず）の提供する抵抗トルクを通して分紙に必要な抵抗力を発生し、ストッパロール２２はまたストッパ摩擦片とされ得る。
【００１１】
分紙ロール２１が逆時計回りに回転する時、ストッパロール２２と分紙ロール２１の右側に位置して分紙ロール２１と接触する最下層の紙９は分紙ロール２１の摩擦力を受けて下流へと駆動され、その他の部分の紙９はストッパロール２２の逆方向の抵抗力を受け、これにより最下層の紙９が分紙モジュールによりその他の紙と分離され、分紙エリアを通り給紙モジュール４へと伝送される。
【００１２】
第１センサ３は分紙モジュール２の下流に設置され並びに分紙モジュール２の一側に設置される。第１センサ３は紙９を検出し、紙９が第１センサ３所在位置に至る時、第１センサ３は制御信号を上述の制御システムに伝送する。
【００１３】
給紙モジュール４は上述の第１センサ３の下流に設置され、それは、給紙主動輪４１、給紙主動輪４１の一側に設置された給紙従動輪４２及び給紙従動輪４２に枢接された弾性機構４３を包含する。該弾性機構４３はシリンダ４３０、固定棒４３１、スリーブ４３２及びバネ４３３を包含し、該固定棒４３１は上述のシリンダ４３０に固定され、スリーブ４３２は固定棒４３１の一端に嵌合され、該スリーブ４３２の一端は上述の給紙従動輪４２に枢接され、該シリンダ４３０は上述の制御システムに制御される。バネ４３３はスリーブ４３２内に収容され、該バネ４３３の一端は上述の固定棒４３１に接続され、別端はスリーブ４３２の一端に当接する。該第２センサ５は給紙モジュール４の下流に設置され、第２センサ５は紙９を検出し、該紙９が第２センサ５のある位置に送られた時、該第２センサ５は制御信号を上述の制御システムに伝送する。
【００１４】
書類処理モジュール６は第２センサ５の下流に設置され並びに上述の制御システムに制御され、それは給紙モジュール４が送り込んだ紙９の走査を行う。出紙モジュール７は書類処理モジュール６の下流に設置され、該出紙モジュール７は出紙主動輪７１と出紙主動輪７１の一側に位置する出紙従動輪７２を包含し、出紙モジュール７は書類処理モジュール６の走査後の紙９を送出する。
【００１５】
上述の制御システムはコントローラ８１と、コントローラ８１に制御される第１駆動システム８２と第２駆動システム８３を包含する。コントローラ８１と前述の第１センサ３、シリンダ４３０、第２センサ５及び書類処理モジュール６は電気的に接続され、第１駆動システム８２が前述の分紙モジュール２を制御し、第２駆動システム８３が前述の給紙主動輪４１と出紙主動輪７１を制御する。
【００１６】
図２から図４を参照されたい。本発明の自動書類処理装置１００が動作開始する時、紙取りモジュールが給紙スタッカー１上に置かれた少なくとも一枚の紙９を分紙モジュール２内に送り、分紙モジュール２は紙９を送紙チャネルに沿って送り出し、紙前端９１が第１センサ３所在の位置に送られると、第１センサ３は制御信号を前述のコントローラ８１に伝送し、コントローラ８１は第２駆動システム８３を制御して給紙主動輪４１と出紙主動輪７１の回転を開始させる。紙９が伝送されて紙前端９１が第２センサ５に接触する位置に至ると、第２センサ５が制御信号をコントローラ８１に送り、コントローラ８１がこれにより書類処理モジュール６を制御して紙９が書類処理モジュール６の中心走査位置に進入する時に走査を開始させる。
【００１７】
図５から図７を参照されたい。紙前端９１が出紙モジュール７に進入する時、紙後端９２は第１センサ３を離れ、該第１センサ３は制御信号をコントローラ８１に送り、これによりコントローラ８１が弾性機構４３のシリンダ４３０を制御し、シリンダ４３０が固定棒４３１を制御し且つ固定棒４３１をシリンダ４３０の方向に運動させ、これによりバネ４３３が引き伸ばされ、これにより給紙従動輪４２の紙に対する圧力が漸減される。コントローラ８１は紙後端９２の第１センサ３を離れる時間により紙後端９２が給紙モジュール４を離れる時間を知り、紙後端９２が給紙モジュール４を離れる時、コントローラ８１は再度第２駆動システム８３を制御して弾性機構４３のバネ４３３をもとの位置に回復させる。
【００１８】
図８を参照されたい。紙後端９２が第２センサ５を離れた後、第２センサ５は制御信号をコントローラ８１に送り、これによりコントローラ８１が書類処理モジュール６を制御し、紙後端９２が書類処理モジュール６の中心走査位置を離れる時に紙９に対する走査を完成させ、走査終了後の紙９が出紙モジュール７を通って紙９に対する処理が完成し、次の紙９の処理過程は上述の紙９の処理過程のとおりであり、重複した説明は行わない。
【００１９】
総合すると、本発明の自動書類処理装置１００は弾性機構４３により給紙従動輪４２と給紙主動輪４１に弾性圧接を実現させ、紙が給紙モジュール４を通り且つ出紙モジュール７に進入する前に給紙従動輪４２の給紙主動輪４１に対する圧力を大きくし、紙が出紙モジュール７に進入した後、給紙従動輪４２の給紙主動輪４１に対する圧力を小さくし、最終的に紙に対する引き止めを減らし紙の伝送を安定させる。
【符号の説明】
【００２０】
１００  自動書類処理装置
１  給紙スタッカー            ２  分紙モジュール
２１  分紙ロール              ２２  ストッパロール
３  第１センサ                ４  給紙モジュール
４１  給紙主動輪              ４２  給紙従動輪
４３  弾性機構                ４３０  シリンダ
４３１  固定棒                ４３２  スリーブ
４３３  バネ                  ５  第２センサ
６  書類処理モジュール        ７  出紙モジュール
７１  出紙主動輪              ７２  出紙従動輪
８１  コントローラ            ８２  第１駆動システム
８３  第２駆動システム        ９  紙
９１  紙前端                  ９２  紙後端
【図１】
2011032058.tif 000003
【図２】
2011032058.tif 000004
【図３】
2011032058.tif 000005
【図４】
2011032058.tif 000006
【図５】
2011032058.tif 000007
【図６】
2011032058.tif 000008
【図７】
2011032058.tif 000009
【図８】
2011032058.tif 000010